(57)【要約】上部横方向シール（１２）において互いに結合された前側傾斜頂壁（１０）および後側傾斜頂壁（１１）を含む山形頂部部分（４）を有して構成された流動食品用の山形頂部のパッケージ（１，１’，１''）であって、上部横方向シール（１２）のそれぞれの側端部分（１２ａ，１２ｂ）に隣接して前側および後側の傾斜頂壁（１０，１１）で境界される食品用に利用可能なパッケージ頂部空間の外部に折曲げられる一対の上部側方折り代（１３，１４）を山形頂部部分（４）が含むことを特徴とする山形頂部のパッケージ。
2004533979.tif 000002
【特許請求の範囲】
【請求項１】
上部横方向シール（１２）のところで互いに結合された前側傾斜頂壁（１０）および後側傾斜頂壁（１１）を含む山形頂部部分（４）を有する流動食品用の山形頂部のパッケージ（１，１’，１''）であって、前記上部横方向シール（１２）のそれぞれの端部分（１２ａ，１２ｂ）に隣接して前記前側および後側の傾斜頂壁（１０，１１）で境界される食品用に利用可能なパッケージ頂部空間の外部に折曲げられた一対の上部側方折り代（１３，１４）を前記山形頂部部分（４）が含むことを特徴とする山形頂部のパッケージ。
【請求項２】
前記上部横方向シール（１２）で境界された少なくとも一つのテーパーを付形された端部部分（２９）を有する枕形状パック（２６）から形成され、前記前側および後側の傾斜頂壁（１０，１１）を形成し、前記反対方向に延在する側方折り代（１３，１４）を備えていることを特徴とする請求項１に記載されたパッケージ。
【請求項３】
各々の側方折り代（１３，１４）は、前記前側および後側の傾斜頂壁（１０，１１）の一方に隣接した一方の側部と、前記上部横方向シール（１２）の関係する前記側端部分（１２ａ，１２ｂ）によって形成され、前記前側および後側の傾斜頂壁（１０，１１）の他方に隣接して位置する他方の側部とを有することを特徴とする請求項１または請求項２に記載されたパッケージ。
【請求項４】
前記山形頂部部分（４）により上方が境界された角柱形の本体部分（３，３’，３''）を含み、前記側方折り代（１３，１４）が前記本体部分（３，３’，３''）の対向する側壁（８，９；８’，９’；８''，９''）のそれぞれの頂部部分（２０，２０’，２０''）の上に折曲げられたことを特徴とする請求項１から請求項３までのいずれか一項に記載されたパッケージ。
【請求項５】
前記本体部分（３）が四角形の横断面を有することを特徴とする請求項４に記載されたパッケージ。
【請求項６】
前記本体部分（３’）が六角形の横断面を有することを特徴とする請求項４に記載されたパッケージ。
【請求項７】
前記本体部分（３''）が八角形の横断面を有することを特徴とする請求項４に記載されたパッケージ。
【請求項８】
流動食品用の山形頂部のパッケージ（１，１’，１''）を形成する方法であって、
前側傾斜頂壁（１０）と、後側傾斜頂壁（１１）と、前記前側および後側の傾斜頂壁（１０，１１）を結合する上部横方向シール（１２）と、前記前側および後側の傾斜頂壁（１０，１１）の両側部から延在し、前記上部横方向シール（１２）のそれぞれの端部分（１２ａ，１２ｂ）にて境界された一対の側方折り代（１３，１４）とを含む山形頂部部分（４）を形成する段階、および
前記前側および後側の傾斜頂壁（１０，１１）によって境界された食品用に利用できるパッケージの頂部体積の外部に前記側方折り代（１３，１４）を折曲げる段階とを含むことを特徴とする方法。
【請求項９】
それぞれ端部において横方向にシールされた両側のテーパーを付形された端部部分（２９，３０）を有する枕形状パック（２６）を形成する段階を含み、前記枕形状パック（２６）の前記テーパーを付形された端部部分（２９，３０）の一方（２９）は前記側方折り代（１３，１４）を備えた前記パッケージ（１，１’，１''）の前記山形頂部部分（４）を形成することを特徴とする請求項８に記載された方法。
【請求項１０】
前記側方折り代（１３，１４）が前記パッケージ（１，１’，１''）の角柱形の本体部分（３，３’，３''）の対向する側壁（８，９；８’，９’；８''，９''）のそれぞれの頂部部分（２０，２０’，２０''）の上に折曲げられることを特徴とする請求項９に記載された方法。
【請求項１１】
請求項１から請求項７までのいずれか一項に記載された山形頂部パッケージ（１）を製造するための包装材料シート。
【請求項１２】
折曲げパターン（３７，３７’，３７''）を含み、折曲げパターン（３７，３７’，３７''）は、前記パッケージ（１，１’，１''）の前記山形頂部部分（４）を形成するために設計された端部部分に、前記上部横方向シール（１２）を定める第一の横方向折曲げ線（３８）と、前記山形頂部部分（４）の水平コーナーを形成する第二の折曲げ線（４０）と、複数の長手方向の折曲げ線（５０，５１，５２，５３）とを含んでおり、折曲げ線（５０，５１，５２，５３）は前記第一および第二の横方向折曲げ線（３８，４０）と共に、前記側方折り代（１３，１４）を定める二つの第一の領域（５４，５５）および前記前側および後側の傾斜頂壁（１０，１１）を定める二つの第二の領域（６８，６９）を境界しており、各々の前記第一の領域（５４；５５）は前記第一の横方向折曲げ線（３８）にて連結された二つの第一の傾斜した折曲げ線（５６，５７；５８，５９）を含み、前記第二の横方向折曲げ線（４０）と共に二等辺三角形を制限し、関係する前記側方折り代（１３；１４）の外側限界を定め、各々の前記第一の領域（５４；５５）は二等辺三角形の内心（６６；６７）から関係する前記長手方向折曲げ線（５０；５１）へ延在する第二の傾斜した折曲げ線（７０；７１）をさらに含むことを特徴とする請求項１１に記載された包装材料シート。
【請求項１３】
各々の前記第一の領域（５４；５５）において、前記第二の傾斜した折曲げ線（７０；７１）は関係する前記長手方向折曲げ線（５０；５１）と前記第一の横方向折曲げ線（３８）との交点に至ることを特徴とする請求項１２に記載された包装材料シート。
【請求項１４】
各々の前記第一の領域（５４；５５）が前記二等辺三角形のそれぞれの二等分線に沿って延在する第三の傾斜した折曲げ線（６０，６１，６２；６３，６４，６５）を含むことを特徴とする請求項１２または請求項１３に記載された包装材料シート。
【請求項１５】
ウェブの形態であることを特徴とする請求項１１から請求項１４までのいずれか一項に記載された包装材料シート。
【発明の詳細な説明】
【技術分野】
【０００１】
本発明は流動食品用の山形頂部のパッケージに関する。
【背景技術】
【０００２】
周知のように、多くの流動食品、例えばフルーツ・ジュース、ＵＨＴ（超高温処理）ミルク、ワイン、トマト・ソースなどは無菌包装材料で作られたパッケージに詰めて販売されている。
【０００３】
包装材料は、繊維材料、例えば紙、の層の両面が熱シール可能プラスチック材料、例えばポリエチレン、の層で覆われて構成された複数層構造を有しており、ＵＨＴミルクのような長期保存食品のための無菌パッケージの場合には、例えばアルミニウム薄膜で形成される酸素バリヤ層をさらに含み、このアルミニウム薄膜は一方の熱シール可能プラスチック材料層の上に重ねられ、さらにその上には、最終的にパッケージ内面を形成して食品と接触することになる別の熱シール可能プラスチック材料層が被覆される。
【０００４】
そのようなパッケージの典型例は、テトラ・ブリック・アセプティック（登録商標）として知られた液体または流動食品用の平行六面体の形状をしたパッケージであり、このパッケージは包装材料ウェブを折曲げて長手方向にシールすることで形成した連続チューブから形成される。この包装材料ウェブは包装機械自体において例えば過酸化水素溶液のような化学殺菌剤を付与することで殺菌され、この殺菌剤は、殺菌処理後に例えば加熱して蒸発させることで包装材料の表面から除去される。またこのように殺菌した包装材料ウェブは閉じた殺菌環境内に保持され、垂直なチューブを形成するように折曲げて長手方向にシールされる。
【０００５】
このチューブは無菌または殺菌処理した食品を充填され、等間隔な横方向部分でシールし、切断して枕状のパックに形成された後、パックは機械的に折曲げられて完成形状、例えば実質的に平行六面体の形状のパッケージに形成される。
【０００６】
二つの基本的な形式の給送ウェブ充填成形機械が知られている。第一のより一般的な形式は、２組の往復動作するジョーを有する機械である。この形式の機械には、例えばルンド（スウェーデン）、ルーベン・ラウシングス・ゲイタ（Ｒｕｂｅｎ  Ｒａｕｓｉｎｇｓ  ｇａｔａ）およびモデナ（イタリー）、ヴィア・デルフィン１にあるテトラ・ブリック・パッケージング・システムズ社によって製造されているＴＢおよびＴＢＡシリーズが含まれる。第二の形式の給送ウェブ包装機械は無端チェーン形式のものであり、往復動作するジョーに代わる二つの向き合う無端チェーンによって成形ユニットおよびシーリング・ユニットが運ばれる。
【０００７】
成形および最終折曲げの両工程で包装材料ウェブを折曲げることができるようにするために、いわゆる「折曲げパターン」を定める折曲げ線が製造ラインにおいて包装材料上に形成される。
【０００８】
これに代わり、包装材料がブランクに切断され、そのブランクが成形マンドレル上でパッケージに成形され、形成したパッケージに食品を充填してシールが行われるようにすることができる。このようなパッケージの一例は、テトラ・レックス（登録商標）の名称で一般に知られているいわゆる「山形頂部」パッケージであり、二つの傾斜すなわち斜めの壁は上部横方向シールによって互いに結合されて形成された山形頂部を有する。
【０００９】
特に、成形マンドレル上で形成された未完パッケージは上方へ向かって開放された平行六面体の形状をしており、山形頂部部分はその未完パッケージの上部の対向する側壁を互いに押圧して壁上縁を互いに引寄せることによって形成され、その後上縁は互いにシールされて横方向シールを形成する。
【００１０】
形成された後、上述の形式のパッケージは再密閉可能な開口装置の取付けなどのさらなる工程段階を実施される。
【００１１】
山形頂部のパッケージは再密閉可能な開口装置と組合せて使用されることが非常に都合よい。何故なら、傾斜した頂壁は対応する平行六面体の平坦部分よりも幅が広いので、例えばねじキャップなどのような大きな開口装置の取付けが可能となるからである。
【発明の開示】
【発明が解決しようとする課題】
【００１２】
本発明の目的は、上述したＴＢおよびＴＢＡシリーズまたは無端チェーン形式の給送ウェブ充填機械によって、実質的にそのような機械に変更を加えることなく、容易且つ安価に製造することができる山形頂部形式のパッケージを提供することである。
【課題を解決するための手段】
【００１３】
この目的は、特許請求の範囲の請求項１に記載した山形頂部のパッケージによって達成される。
【００１４】
本発明の他の目的は、そのような山形頂部のパッケージを得るための方法を提供することである。
【００１５】
本発明のさらに他の目的は、そのような山形頂部のパッケージを得るために適用される折曲げパターンを備えた包装材料ウェブを工夫することである。
【００１６】
本発明の三つの好ましい非制限的な実施例が添付図面を参照して例を挙げて説明される。
【実施例１】
【００１７】
図１、図２および図３を参照すれば、符号１は本発明による食品のための山形頂部のパッケージを示している。
【００１８】
パッケージ１は包装材料ウェブ２（図５）（以下「材料２」と称する）で作られ、基本的に平行六面体の形状をした本体部分３と、本体部分３の上側限界をなす山形頂部部分４とを含む。
【００１９】
特に本体部分３は、正方形であることが好ましい底壁５と、前壁６と、後壁７と、一対の側壁８，９とを有する。
【００２０】
山形頂部部分４は、前側傾斜頂壁１０と、後側傾斜頂壁１１とを含み、これらの頂壁はパッケージ１の上部横方向シール１２で互いに結合されている。
【００２１】
本発明の重要な概念によれば、山形頂部部分４は上部横方向シール１２の側端部分１２ａ，１２ｂにそれぞれ隣接した一対の上部側方折り代１３，１４を含み、これらの側方折り代１３，１４は、前側および後側の傾斜頂壁１０，１１で境界される食品用に利用可能なパッケージ頂部空間の外部に折曲げられる。
【００２２】
各々の側方折り代１３，１４は、前側傾斜頂壁１０の側縁１５で定められる一方の側部と、横方向シール１２の側端部分１２ａ，１２ｂによって形成されて、後側傾斜頂壁１１の側縁１６上に折曲げられる他方の側部とを有する。
【００２３】
側方折り代１３，１４はそれぞれ側壁８，９の三角形の頂部部分２０上に折曲げられる。頂部部分２０は平坦であり、それぞれの側壁８，９と実質的に同一平面であるか、以下にさらによく説明するように僅かに内方へ向かって傾斜する。
【００２４】
この新しいパッケージ形状をよく理解するために、図４および図５がここで参照される。
【００２５】
パッケージ１は包装材料の連続チューブ（図示せず）から作られ、その連続チューブは材料２（図５）をその側縁２１，２２に沿って折曲げ、長手方向にシールすることで得られる。さらに詳しくは、材料２の縁部分２１ａを反対側の縁部分２２ａ上に重ねてシールすることで長手方向シール２３を形成し、この長手方向シール２３は完成パッケージ１の後壁７の垂直方向の中心線に沿って実質的に延在される。
【００２６】
その後、チューブは規則的な間隔で横方向にシールされて横方向シールを形成された後にその横方向シールに沿って切断されて、いわゆる枕形状パックが形成されるのであり、この枕形状パックは、複数の最終折曲げ段階により完成パッケージ１に成形されるための中間製品である。枕形状パック２６は図４に示されている。
【００２７】
一つの完成パッケージ１を参照すれば、または同様に一つの完成した枕形状パック２６を参照すれば、前記横方向シールは図４に示される上述した上部横方向シール１２および下部横方向シール２７を含む。
【００２８】
枕形状パック２６はパッケージ１の本体部分３の壁６，７，８，９に対応する四つの壁で境界を定められた平行六面体の基本部分２８と、その基本部分２８からそれぞれの横方向シール１２，２７ヘ向かってテーパーを付された反対両側のテーパーを付形された端部部分２９，３０とを含んで構成される。
【００２９】
テーパーを付形された端部部分２９は完成パッケージ１の前側および後側の傾斜頂壁１０，１１を形成し、またそれらの前側および後側の傾斜頂壁１０，１１の反対両側から延在する側方折り代１３，１４を備えており、上述したように側壁８，９のそれぞれの頂部部分２０の上に折重ねられる。
【００３０】
テーパーを付形された端部部分３０は底壁５を形成するために周知の方法で折曲げられる。特にテーパーを付形された端部部分３０は、下部横方向シール２７にて互いに結合された一対の傾斜壁３１で形成されており、一対の延在する下部側方折り代３２，３３を形成している。
【００３１】
底壁５を平坦にするために、テーパーを付形された端部部分３０はテーパーを付形された端部部分２９へ向けて押圧されて、側方折り代３２，３３を傾斜壁３１上に折曲げてシールするようにされる。
【００３２】
材料２は折曲げパターン３７、すなわち折曲げ線形成ロールにより形成され、成形段階および最終折曲げ段階にて材料それに沿って折曲げられる折曲げ線を形成する複数の弱体化された先を含む。
【００３３】
図５は材料２の繰返し長さ、すなわち一つのパッケージ１の製造に使用される材料の正確な長さを示している。
【００３４】
折曲げパターン３７は周知のように四つの横方向折曲げ線３８，３９，４０，４１を含む。折曲げ線３８，３９は繰返し長さの横方向端部の近くで、それぞれ上部および下部の横方向シール部分４２，４３を境界している。折曲げ線４０，４１は山形頂部部分４および底壁５の水平コーナーを形成し、明瞭にするために図１および図４に示されている。
【００３５】
折曲げパターン３７はまた周知のように四つの長手方向折曲げ線４４，４５，４６，４７を含み、それらの折曲げ線はパッケージ１の側方コーナーを形成して横方向折曲げ線４０，４１の間を延在しており、また同様に折曲げパターン３７は線４１と下部横方向シール部分４３との間に形成される面積部分内の複数の折曲げ線４８を含み、それらの折曲げ線は枕形状パック２６の下部側方折り代３２，３３（図４）を形成するようにデザインされている。折曲げ線４８は周知の構造をしており、詳細に説明することはしない。
【００３６】
長手方向折曲げ線４４，４５はそれぞれの側縁２１，２２に近いのに対して、長手方向折曲げ線４６，４７は折曲げ線４４，４５の間に配置されている。
【００３７】
明瞭にするために、パッケージ１の前壁６は折曲げ線４６，４７によって境界され、後壁７は折曲げ線４４，４５で境界され、側壁８，９は折曲げ線４４，４６で境界され、側壁９は折曲げ線４５，４７で境界されている。
【００３８】
折曲げパターン３７は、横方向折曲げ線４０と横方向シール部分４２との間に形成される面積部分に複数の追加の折曲げ線をさらに含む。このような追加の折曲げ線には四つの実質的に長手方向の折曲げ線５０，５１，５２，５３が含まれ、前側傾斜頂壁１０および後側傾斜頂壁１１の側方コーナーを形成し、また折曲げ線４０と各々の長手方向折曲げ線４４，４５，４６，４７との交点４４ａ，４５ａ，４６ａ，４７ａを起点とする。図示実施例では、折曲げ線５０，５１，５２，５３は上方へ向かってテーパーを付形された台形形状の壁１０，１１を形成するように僅かに傾斜されているが、完全な長手方向、すなわち長手方向折曲げ線４４，４５，４６，４７の連続的な延長部とすることができる。
【００３９】
折曲げ線５０，５２と、それらの折曲げ線５０，５２の間の上部横方向シール部分４２の部分と、交点４４ａ，４６ａの間の折曲げ線４０の部分とが側方折り代１３を形成する折り代領域５４を境界する。同様に、折曲げ線５１，５３と、それらの折曲げ線５１，５３の間の上部横方向シール部分４２の部分と、交点４５ａ，４７ａの間の折曲げ線４０の部分とが側方折り代１４を形成する折り代領域５５を境界する。さらに、長手方向折曲げ線５０，５１，５２，５３と、横方向折曲げ線４０，４１と、横方向シール部分４２とが他の二つの領域６８，６９を境界し、それらの領域は領域５４，５５の間にそれぞれ位置してそれぞれ前側および後側の傾斜頂壁１０，１１を形成する。
【００４０】
折曲げパターン３７は、領域５４，５５の各々にそれぞれ二つの傾斜した折曲げ線５６，５７および５８，５９を含み、それらの折曲げ線はそれぞれ点４４ａ，４６ａおよび４５ａ，４７ａを起点として上部横方向シール部分４２，４３にて連結し、それぞれ点４４ａ，４６ａおよび４５ａ，４７ａの間の折曲げ線４０の部分と二等辺三角形を形成する。
【００４１】
それぞれ折曲げ線５６，５７および５８，５９は側方折り代１３，１４の横方向の外側限界を定める。
【００４２】
領域５４に関する符号６０，６１，６２で示される、また領域５５に関する符号６３，６４，６５で示される三つのさらなる折曲げ線が二等辺三角形のそれぞれの二等分線に沿って延在し、領域５４に関しては符号６６で示され、領域５５に関しては符号６７で示される内心にて交差している。
【００４３】
領域５４の折曲げ線６０，６１は内心６６とそれぞれの点４４ａ，４６ａとの間を延在し、上方へ向かって側壁８の頂部部分２０を境界する。同様に、領域５５の折曲げ線６３，６４は内心６７とそれぞれの点４５ａ，４７ａの間を延在し、上方へ向かって側壁９の頂部部分２０を境界する。
【００４４】
折曲げパターン３７は各々の折り代領域５４，５５内に、それぞれ折曲げ線５６，５８と交差する別の傾いた折曲げ線７０，７１を最終的に含み、それらの折曲げ線は、それぞれの内心６６，６７と、横方向折曲げ線３８および長手方向折曲げ線５０，５１の交点との間を延在している。
【００４５】
各々の折り代領域５４，５５において、折曲げ線７０，７１と、折曲げ線５６，５８と、折曲げ線５６，７０および折曲げ線５８，７１の間の折曲げ線３８の部分とがそれぞれの側方折り代１３，１４の端部部分７２，７３を境界しており、端部部分７２，７３は、それぞれ折曲げ線５０，５１と、それぞれ内心および折曲げ線５０，５１の間を延在する折曲げ線５６，７０および折曲げ線５８，７１の部分で境界された材料２のそれぞれ隣接する部分７４，７５の上に重なるように折曲げられる。側縁２１，２２および折曲げ線４０，４１の間のパッケージ１の本体部分３は、山形頂部部分４を変化させずにいずれのデザイン形状とすることができることは理解されるであろう。
【００４６】
（実施例２および実施例３）
図６、図７、図８および図９は、それぞれ六角形および八角形の横断面を有する角柱形の本体部分３’，３''を与える山形頂部のパッケージ１’，１''に適用した本発明の基本的原理を示している。以下の説明で、パッケージ１’，１''はパッケージ１と異なる点だけを説明し、先に説明した部分に類似または同じ部分は同一符号を使用する。
【００４７】
パッケージ１’、１''はそれぞれ包装材料ウェブ２’，２''で作られ、それらの繰返し長さはそれぞれ図７、図９に示されている。
【００４８】
材料２’，２''はそれぞれ折曲げパターン３７’，３７''を含み、各々の折曲げパターンは材料２の横方向折曲げ線３８，３９，４０，４１と同じ４つの横方向折曲げ線を与え、従って同じ符号で示されている。
【００４９】
横方向折曲げ線４０，４１と上部横方向シール部分４２との間の部分において、折曲げパターン３７’，３７''の各々の折曲げ線は折曲げパターン３７の対応する折曲げ線と同じ構成を有するが、横方向折曲げ線４１と下部横方向シール部分４３との間の部分は周知の配置を有しており、詳細に説明しない。
【００５０】
折曲げパターン３７’，３７''はそれぞれのパッケージ１’，１''の側方コーナーを形成するそれぞれ六つおよび八つの長手方向折曲げ線８０，８１を与える。
【００５１】
各々の折曲げパターン３７’，３７''の各々の交点４４ａ，４５ａ，４６ａ，４７ａは横方向折曲げ線４０と関係する二つの傾斜した折曲げ線との交点によって定められ、その折曲げ線は折曲げパターン３７’では符号８２で、また折曲げパターン３７''では符号８３でそれぞれ示され、その交点から分岐して二つのそれぞれの隣接する長手方向折曲げ線８０，８１と連結される。
【００５２】
上述した折曲げ線の形状により、パッケージ１’の本体部分３’は前側および後側の壁６’，７’と、対向する二つの傾斜した側壁８’，９’によって境界される。パッケージ１’の側方折り代１３，１４は対向する側壁８’，９’のそれぞれの頂部部分２０’に対して折曲げられる。
【００５３】
パッケージ１''は前壁６''と、後壁７''と、対向する側壁８''，９''と、４つの縁部壁９０とを与える。パッケージ１''の側方折り代１３，１４はそれぞれ側壁８''，９''の頂部部分２０''に対して折曲げられる。
【００５４】
本発明によるパッケージ１，１’，１''の利点は、以下の説明から明白となるであろう。
【００５５】
特に、前側および後側の傾斜した頂壁１０，１１で境界されるパッケージの頂部体積の外部に枕形状パック（２６）のテーパーを付形された端部部分（２９）の側方折り代１３，１４山形頂部部分４が折曲げられるという事実により、パッケージ１，１’，１''は前述したＴＢおよびＴＢＡシリーズ、または無端チェーン形式の給送ウェブ充填機械により、そのような機械に実質的な変更を行わずに容易且つ安価に製造することができる。この結果は、平行六面体の形状のパッケージや、六角形または八角形の断面形状のパッケージを形成するために通常使用される包装材料ウェブの上部横方向部分に幾つかの折曲げ線（６０，６１，６２，７０；６３，６４，６５，７１）を追加することで簡単に達成できる。
【００５６】
しかしながら、添付の特許請求の範囲の請求項に記載された範囲から逸脱することなく、説明および図示したパッケージ１，１’，１''に変更を加えることができることは明らかである。
【００５７】
本発明の先の実施例に記載したパッケージは、ウェブの形状だけでなく、実施例が許すならばブランクの形状の包装材料シートでも形成することができる。
【００５８】
さらに、本発明のさまざまな実施例で記載したパッケージの本体部分はそれらの開示形状と異なる形状を有することができる。
【図面の簡単な説明】
【００５９】
【図１】本発明による山形頂部のパッケージの斜視図である。
【図２】図１のパッケージの側立面図である。
【図３】図１のパッケージの後立面図である。
【図４】図１のパッケージを製造するための中間製品を構成する枕形状パックの斜視図である。
【図５】図１のパッケージを製造するための包装材料ウェブの繰返し長さ部分である。
【図６】本発明による山形頂部のパッケージの別の実施例の斜視図である。
【図７】図６のパッケージを製造するための包装材料ウェブの繰返し長さである。
【図８】本発明による山形頂部のパッケージの他の実施例の斜視図である。
【図９】図８のパッケージを製造するための包装材料ウェブの繰返し長さである。
【符号の説明】
【００６０】
１，パッケージ１’，１''  パッケージ
２，２’，２''  包装材料ウェブ
３，３’，３''  本体部分
４  山形頂部部分
５  底壁
６，６’，６''  前壁
７，７’，７''  後壁
８，８’，８''，９，９’，９''  側壁
１０  前側傾斜頂壁
１１  後側傾斜頂壁
１２  上部横方向シール
１２ａ，１２ｂ  側端部分
１３，１４  側方折り代
１５，１６  側縁
２０  頂部部分
２１，２２  側縁
２１ａ，２２ａ  縁部分
２３  長手方向シール
２６  枕形状パック
２７  下部横方向シール
２８  基本部分
２９，３０  端部部分
３１  傾斜壁
３２，３３  側方折り代
３７，３７’，３７''  折曲げパターン
３８，３９，４０，４１  横方向折曲げ線
４２，４３  横方向シール部分
４４，４５，４６，４７  長手方向折曲げ線
４８，５０，５１，５２，５３  折曲げ線
４４ａ，４５ａ，４６ａ，４７ａ  交点
５０，５１，５２，５３  折曲げ線
５４，５５  折り代領域
５６，５７，５８，５９  折曲げ線
６０，６１，６２，６３，６４，６５  折曲げ線
６６，６７  内心
７０，７１  折曲げ線
７２，７３  端部部分
７４，７５  部分
【国際公開パンフレット】
2004533979.tif 000003
2004533979.tif 000004
2004533979.tif 000005
2004533979.tif 000006
2004533979.tif 000007
2004533979.tif 000008
2004533979.tif 000009
2004533979.tif 000010
2004533979.tif 000011
2004533979.tif 000012
2004533979.tif 000013
2004533979.tif 000014
2004533979.tif 000015
2004533979.tif 000016
2004533979.tif 000017
2004533979.tif 000018
2004533979.tif 000019
2004533979.tif 000020
2004533979.tif 000021
2004533979.tif 000022
2004533979.tif 000023
2004533979.tif 000024
2004533979.tif 000025
2004533979.tif 000026
2004533979.tif 000027
【国際調査報告】
2004533979.tif 000028
2004533979.tif 000029
2004533979.tif 000030